(57)【要約】【課題】  本発明は、ズボン内に装着可能な新たな携帯尿袋、とくに、嵩張らず、歩行の邪魔にならない尿袋を提供する。【解決手段】  本発明は、筒状の本体部および該本体部の一方の端部に設けられた開口部を具備する可撓性材料からなる尿袋であって、前記開口部が硬質のリング状の枠からなり、該尿袋が平面状になるように開口部を折り畳んでズボン内に装着できる、前記尿袋に関する。【選択図】  図２
2008212450.tif 000002
【特許請求の範囲】
【請求項１】
筒状の本体部および該本体部の一方の端部に設けられた開口部を具備する可撓性材料からなる尿袋であって、前記開口部が硬質のリング状の枠からなり、該尿袋が平面状になるように開口部を折り畳んでズボン内に装着できる、前記尿袋。
【請求項２】
リング状の枠が、直径８０ｍｍ〜１５０ｍｍである、請求項１に記載の尿袋。
【請求項３】
さらに、尿袋の本体部の全部または一部を収納可能な、ズボン内に装着できる支持袋を具備する、請求項１または２に記載の尿袋。
【請求項４】
手を入れてリング状の枠を所定位置に導くための操作口がポケット内に設けられているズボン内に装着できる、請求項１〜３のいずれかに記載の尿袋。
【請求項５】
尿袋および／または支持袋が、ズボンのベルトループに装着できる紐を具備してなる、請求項１〜４のいずれかに記載の尿袋。
【発明の詳細な説明】
【技術分野】
【０００１】
本発明は、装着可能な携帯尿袋に関する。
【背景技術】
【０００２】
従来、外出時、近くにトイレがない場合、排尿を我慢するか、道端で放尿するなど、健康面、衛生面において、到底許容できる状況ではなかった。特に、高齢者やある種の疾患の患者たちは、尿漏れ、尿失禁、頻尿、尿意を催したときに我慢するのが困難な尿意切迫感などの蓄尿症状に悩まされており、トイレ事情から自由に外出できない状況である。これを解決する試みとして、オムツ型パンツや携帯トイレなどが提案されているが、いずれも満足できるものではなかった。
【０００３】
オムツ型パンツは、典型的には、股間部分に吸収体を配置してなるが、吸収量が約１０ｍｌ〜約５０ｍｌと少なく、一般的な成人の１回の排尿量（２００〜４００ｍｌ）を吸収するには遠く及ばない。吸収量を増やそうと股間部分の吸収体を大きくすると、一見してオムツ型パンツを装着していることが周囲の人の知るところとなり好ましくない。また、股間部分の大きな吸収体が歩行の妨げとなり、機能的にも好ましくない。
【０００４】
携帯トイレは、外出先で使用するまで荷物となる。携帯トイレの例として、自動車内で使う排尿袋などが挙げられるが（特許文献１）、自動車内で用いる場合はともかく、自動車外で使用する場合などは、他人の眼から遮蔽された場所を見つけなければならず、急な尿意に対応できない。
【０００５】
そこで携帯トイレをズボン内に装着するものが提案されてきた（特許文献２および３）。特許文献２で提案された携帯用小便袋は、使用時に人体局部挿入口を適宜開口する必要があり、ズボン内を手探り状態で前記挿入口を素早く開口するのは困難で、尿意切迫感のある人などでは到底実用に耐えられないものであった。また、特許文献３で提案された男性用尿袋及び尿袋用ズボンでは、尿袋の開口部が上下方向に伸縮自在な蛇腹状であるところ、このような開口部は嵩高く、ズボンに不自然なふくらみを作り、ズボン内に装着していることが衆人に知れるところとなり好ましくない。
【特許文献１】実開昭６３−５２４９４号公報
【特許文献２】実開昭６３−１３３１９９号公報
【特許文献３】特開２００６−６６３３号公報
【発明の開示】
【発明が解決しようとする課題】
【０００６】
本発明は、上記問題点を解決すべく、衣服内に装着可能な新たな携帯尿袋を提供するという課題に基づくものである。
【課題を解決するための手段】
【０００７】
本発明者は、上掲の課題を解決するため、研究を重ねる中で、尿袋の素材を可撓性材料とし、開口部に硬質のリング状の枠を設けることによって、開口部を折り畳むことができることに着眼し、さらに研究を進めた結果、本発明を完成するに至った。
【０００８】
すなわち、本発明は、筒状の本体部および該本体部の一方の端部に設けられた開口部を具備する可撓性材料からなる尿袋であって、前記開口部が硬質のリング状の枠からなり、該尿袋が平面状になるように開口部を折り畳んでズボン内に装着できる、前記尿袋に関する。
さらに本発明は、リング状の枠が、直径８０ｍｍ〜１５０ｍｍである、前記の尿袋に関する。
【０００９】
また本発明は、さらに、尿袋の本体部の全部または一部を収納可能な、ズボン内に装着できる支持袋を具備する、前記の尿袋に関する。
さらに本発明は、手を入れてリング状の枠を所定位置に導くための操作口がポケット内に設けられているズボン内に装着できる、前記の尿袋に関する。
また本発明は、尿袋および／または支持袋が、ズボンのベルトループに装着できる紐を具備してなる、前記の尿袋に関する。
【発明の効果】
【００１０】
本発明によれば、高齢者、頻尿者、認知症患者、長時間のドライブ・飛行機に搭乗する人、高所などにおける作業者、長時間製造ラインなどで流れ作業を続ける人、精密作業で長時間拘束される人、長時間の協議・審議・裁判などに出席する必要がある人など、長時間に亘って排尿を我慢する必要があったり、急に尿意を催して我慢できない人々が、人目を気にせず排尿することができる。また、いつでも排尿できるという安心感を与える。
【００１１】
そして本発明によれば、尿袋の本体部を可撓性材料とし、リング状の枠を硬質のものとしたことによって、尿袋の開口部を身体に向けて折り畳むことができ、本体部とともに平面状になるため、ズボン内で嵩張ることなく、歩行の妨げにならないようにズボン内に装着することができる。また、リング状の枠が紐で吊るされており、リング状の枠がズボン内の所定の位置に配置することができる。
【００１２】
また、リング状の枠が硬質であるから、ズボン内で手探りで容易に開口部を確認することができる。さらに、ズボン内で尿袋の開口部を所望の位置に移動させる際にも衣服との擦れによって開口部が閉じてしまうことがなく、急な尿意に対しても素早く対応することができる。また、リング状の枠のサイズを直径８０ｍｍ〜１５０ｍｍとした場合、高齢者でも手に掴みやすく、また排尿時に陰茎の挿入が容易で使用性が優れている。さらに尿袋の本体部の全部または一部を収納可能な支持袋を備えた場合、尿袋の重みが尿袋を吊るす紐と支持袋を吊るす紐とに分散されるので好適である。また尿袋と体が直接触れないことから、尿袋中の尿が冷めた後に尿袋が体に触れて不快な冷感を感じることがなくなる。
【００１３】
また本発明によれば、本発明の尿袋は、装着されたズボンにおいて、操作口がポケット内に設けられており、他人の眼を気にすることなくリング状の枠を所定位置に導き、排尿することができる。操作口をポケットの上部に設けた場合、ポケットの収納機能を妨げることがない。また、ズボンにベルトループを備えた場合、これにリング状の枠を吊るす紐および／または支持袋を吊るす紐を結ぶことができ、尿袋および支持袋の荷重を支え、リング状の枠を所定の位置に留めやすい。
【発明を実施するための最良の形態】
【００１４】
本発明にかかる尿袋に用いることのできる可撓性材料は、通常、いわゆるポリ袋・ポリフィルムなどとして用いられる合成樹脂であればよく、例えば、ポリエチレン（ＰＥ）、ポリプロピレン（ＰＰ）、ポリスチレン（ＰＳ）、ＡＳ樹脂、ＡＢＳ樹脂、ポリ塩化ビニル（ＰＶＣ）、ポリ塩化ビニリデン（ＰＶＤＣ）、ポリカーボネート（ＰＣ）、ポリエチレンテレフタレート（ＰＥＴ）、ポリアミド（ＰＡ）、ポリメタクリル酸メチル（ＰＭＭＡ）、ポリメチルペンテン（ＰＭＰ）、ポリビニルアルコール（ＰＶＡ）、エチレンビニルアルコール共重合樹脂（ＥＶＯＨ）、ポリブタジエン（ＢＤＲ）、エチレン酢酸ビニル共重合樹脂（ＥＶＡ）などが挙げられる。とくにポリエチレンは、加工の容易さ、コスト面、さらに加重に強く、操作、歩行等による摩擦音が小さく好ましい。
【００１５】
尿袋の本体部の形状および大きさは、ズボンなどの衣服内に収納できる形状および大きさであれば、とくに限定されないが、幅１０ｃｍ〜２０ｃｍ、長さ４０ｃｍ〜５０ｃｍの筒状または封筒状であれば、使用の前後を通して嵩高くならず、また十分な容量が確保され、好適である。このような容量であれば、排尿量６００ｍｌ〜１２００ｍｌ程度であっても容易に収めることができる。
尿袋の開口部は、リング状の枠を取り付けられる大きさであればよく、加工の簡便のため、筒状または封筒状の本体部の端部を開放したものが好ましい。また、リング状の枠が折り畳みやすいように、開口部の近傍に可撓性材料が収縮した絞り部を設けてもよい。
【００１６】
本発明に用いるリング状の枠は硬質のものである。具体的には、アルミニウム、鉄、銅、ステンレスなどの金属製、硬質プラスチック製など、ズボンなどの衣服内を移動させた際に、衣服と擦れて変形することがないものである。とくにアルミニウムを塩化ビニルでコーティングしたものが好ましい。このように金属製の輪を合成樹脂でコーティングした場合、適度な強度と柔らかな表面を兼ね備えたリング状の枠とすることができる。リング状の枠の大きさは、手に掴みやすいこと、排尿時の陰茎の挿入が容易であること、衣服内にあっても邪魔にならないことなどの観点から、直径８０ｍｍ〜１５０ｍｍ程度、好ましくは、直径１００ｍｍ〜１２０ｍｍ、とくに好ましくは、直径１００ｍｍ〜１１０ｍｍである。
【００１７】
本発明の尿袋は、リング状の枠を介して、衣服の所定部、例えばズボンのベルトループから紐で吊るされ得る。これにより、緊急を要する排尿に対して素早くリング状の枠を所定の位置に配置し、対応することができる。
また本発明の尿袋は、さらに本体部の全部または一部を収納可能な、衣服の所定部、例えばズボンのベルトループから紐で吊るされた支持袋を備えていてもよい。支持袋を吊るす紐によって、尿袋の荷重が分散される。また、支持袋によって、尿袋が直接肌に触れず、尿袋中の尿の温度が伝わることがなく、快適に装着できる。
【００１８】
このような支持袋の材質としては、衣服に用いられる天然繊維および／または合成繊維に用いられるものが好ましく、典型的には、綿布、ポリエステル、ポリウレタン、ビニール、ナイロン繊維などが挙げられ、歩行および操作時に摩擦音が発生しにくい材質がよく、例えば、メッシュ入りの布によって作成されていてもよい。また、支持袋の形状は、特に限定されないが、巾着袋のように口が絞れる形状であってもよい。
【００１９】
本発明の尿袋が装着されるズボンは、ポケット内の上部に操作口となる開口部が設けられている。使用時に、前記操作口からズボン内部に手を入れ、リング状の枠を所定位置に導くことができる。また、前記ズボンには、リング状の枠を吊るす紐および／または支持袋を吊るす紐を結ぶことができるベルトループが設けられていてもよい。
【００２０】
本発明の尿袋には、必要に応じて、適宜、尿を吸収する吸収体、消臭剤、芳香剤などを予め入れておくことができる。また、尿袋は洗浄することにより、繰り返し使用可能である。
【００２１】
以下、図面に基づいて、本発明をさらに詳細に説明するが、本発明はこれらの態様に限定されるものではない。
本発明にかかる尿袋は、図１に示すとおり、典型的には、本体部１および開口部２からなる可撓性材料の袋の開口部２側に、硬質なリング状の枠３を備えている。正面から見ると、封筒状の薄っぺらな本体部１の一端が開口部２となり、開口部付近に必要に応じて、絞り部１１が設けられている（図１（Ａ））。リング状の枠３は、図１（Ｂ）に示すように、開口部２を尿袋が平面状になるように折り畳むことができる。
【００２２】
本発明の尿袋を装着したズボンの一実施態様は、図２に示すとおり、尿袋のリング状の枠３が、ベルトループ８から紐４を介して吊るされている。また、本体部１の一部または全部を入れることができる支持袋５もまた、ベルトループ８から紐６を介して吊るされている。紐４および紐６は、それぞれ独立してベルトループ８につながれていてもよいが、ベルトループ８に至る途中で連結されていてもよい。また、紐４および／または紐６は、ポケット９の上部に開けられた操作口１０を通ってズボン内に導かれている。
【００２３】
本発明の尿袋を女性用に用いる場合、男性と異なり、直接尿袋に排尿することは容易ではないが、図３に示すようなアダプタ１２を利用することで容易に尿袋に排尿することができる。アダプタ１２は、把持部１３を把持して、下着をフック１５に引っ掛けて、股間を開口１４に合わせて使用する。開口１４に放尿された尿は、開口１４に直接連結された漏斗と管により、尿袋の開口部２へと導かれる。また、適宜、落下防止用の紐を通す孔１６が設けられていてもよい。
【図面の簡単な説明】
【００２４】
【図１】本発明にかかる尿袋の一例を示す正面図（Ａ）および側面図（Ｂ）である。
【図２】本発明の一実施態様を示す模式図である。
【図３】本発明の尿袋を女性用に用いるためのアダプタの模式図で、上図は正面図で、下図は側面図である。
【符号の説明】
【００２５】
１    本体部
２    開口部
３    リング状の枠
４    枠用紐
５    支持袋
６    支持袋用紐
７    ズボン
８    ベルトループ
９    ポケット
１０    操作口
１１    絞り部
１２    アダプタ
１３    把持部
１４    開口
１５    フック
１６    孔
【図１】
2008212450.tif 000003
【図２】
2008212450.tif 000004
【図３】
2008212450.tif 000005
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
筒状の本体部および該本体部の一方の端部に設けられた開口部を具備する可撓性材料からなる、筒状または封筒状の尿袋であって、前記開口部が硬質のリング状の枠からなり、該開口部の近傍に可撓性材料が収縮した絞り部が設けられており、該尿袋が平面状になるように開口部を折り畳んでズボン内に装着できる、前記尿袋。
【請求項２】
リング状の枠が、直径８０ｍｍ〜１５０ｍｍである、請求項１に記載の尿袋。
【請求項３】
さらに、尿袋の本体部の全部または一部を収納可能な、ズボン内に装着できる支持袋を具備する、請求項１または２に記載の尿袋。
【請求項４】
手を入れてリング状の枠を所定位置に導くための操作口がポケット内に設けられているズボン内に装着できる、請求項１〜３のいずれかに記載の尿袋。
【請求項５】
尿袋および／または支持袋が、ズボンのベルトループに装着できる紐を具備してなる、請求項１〜４のいずれかに記載の尿袋。
【手続補正２】
【補正対象書類名】明細書
【補正対象項目名】０００８
【補正方法】変更
【補正の内容】
【０００８】
すなわち、本発明は、筒状の本体部および該本体部の一方の端部に設けられた開口部を具備する可撓性材料からなる、筒状または封筒状の尿袋であって、前記開口部が硬質のリング状の枠からなり、該開口部の近傍に可撓性材料が収縮した絞り部が設けられており、該尿袋が平面状になるように開口部を折り畳んでズボン内に装着できる、前記尿袋に関する。
さらに本発明は、リング状の枠が、直径８０ｍｍ〜１５０ｍｍである、前記の尿袋に関する。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
筒状または封筒状の本体部および該本体部の一方の端部に設けられた開口部を具備する可撓性材料からなる、幅１０ｃｍ〜２０ｃｍ、長さ４０ｃｍ〜５０ｃｍの筒状または封筒状の尿袋であって、前記開口部が直径８０ｍｍ〜１５０ｍｍである硬質のリング状の枠からなり、前記リング状の枠を介してズボンのベルトループから吊るすための、ズボンのベルトループに装着できる紐を具備し、該開口部の近傍に可撓性材料が収縮した絞り部が設けられており、該尿袋が平面状になるように開口部を折り畳んでズボン内に装着され、さらに、尿袋の本体部の全部または一部を収納可能な、ズボン内に装着される支持袋を具備し、該支持袋が、ズボンのベルトループに装着できる紐を具備する、前記尿袋。
【請求項２】
手を入れてリング状の枠を所定位置に導くための操作口がポケット内に設けられているズボン内に装着できる、請求項１に記載の尿袋。
【手続補正２】
【補正対象書類名】明細書
【補正対象項目名】０００８
【補正方法】変更
【補正の内容】
【０００８】
すなわち、本発明は、筒状または封筒状の本体部および該本体部の一方の端部に設けられた開口部を具備する可撓性材料からなる、幅１０ｃｍ〜２０ｃｍ、長さ４０ｃｍ〜５０ｃｍの筒状または封筒状の尿袋であって、前記開口部が直径８０ｍｍ〜１５０ｍｍである硬質のリング状の枠からなり、前記リング状の枠を介してズボンのベルトループから吊るすための、ズボンのベルトループに装着できる紐を具備し、該開口部の近傍に可撓性材料が収縮した絞り部が設けられており、該尿袋が平面状になるように開口部を折り畳んでズボン内に装着され、さらに、尿袋の本体部の全部または一部を収納可能な、ズボン内に装着される支持袋を具備し、該支持袋が、ズボンのベルトループに装着できる紐を具備する、前記尿袋。に関する。
【手続補正３】
【補正対象書類名】明細書
【補正対象項目名】０００９
【補正方法】変更
【補正の内容】
【０００９】
さらに本発明は、手を入れてリング状の枠を所定位置に導くための操作口がポケット内に設けられているズボン内に装着できる、前記の尿袋に関する。